(57)【要約】【課題】  誤り挿入を防止するコネクターセットを提供する。【解決手段】  雌コネクター２０の端子バス本体は、突き止め部２２１を突設し、雄コネクター３０の殻体３１の前端は、凹部３１１を凹設している。正確な方向で雌コネクター２０に挿入した時は、雄コネクター３０の凹部３１１は、雌コネクター２０の突き止め部２２１に向かっているので、突き止め部２２１は、相対的に雄コネクター３０の凹部３１１の中に滑り込むことが可能で、雄コネクター３０をスムースに雌コネクター２０に挿入することが可能である。違った方向で挿入した時は、雄コネクター３０の凹部３１１は雌コネクター２０の突き止め部２２１に向いていない。したがって、突き止め部２２１に阻害されてスムースに挿入することができない。これによって使用者に挿入する方向が違っていることを知らせ、強行に挿入してコネクターセットに損壊を生じるのを避けることが可能である。【選択図】    図１
0003113442.tif 000002
【実用新案登録請求の範囲】
【請求項１】
雌コネクター及び雄コネクターを含む誤り挿入を防止するコネクターセットであって、
雌コネクターは、外殻体を含み、外殻体の中に端子バス本体が嵌設され、外殻体と端子バス本体の後段の間に置き槽が構成され、
雄コネクターは、殻体を含み、殻体の中に端子バス本体が嵌設され、雄コネクターの端子バス本体の各端子と雌コネクターの端子バス本体の各端子とを対応的に塔接することが可能であり、
上記雌コネクターの端子バス本体の後端に突き止め部が突設され、突き止め部を置き槽の中に突伸し、雄コネクターの殻体の前端は中に向かって凹んで凹部を設けて、雌コネクターの突き止め部に対応し、突き止め部を相対的に凹部の中に滑り置き可能とし、雄コネクターの前段を最適な位置で雌コネクター後段の置き槽の中に挿入可能とした、誤り挿入を防止するコネクターセット。
【請求項２】
雌コネクターの端子バス本体は、突き止め部と一体で成形することを特徴とする請求項１記載の誤り挿入を防止するコネクターセット。
【請求項３】
雌コネクターは、外殻体の後段に、プレスで突き部を成形して、各突き部を置き槽の中に突き置いて、挿入した雄コネクターの殻体の外縁に固く突き止めることを特徴とする請求項１記載の誤り挿入を防止するコネクターセット。
【請求項４】
雄コネクターの殻体は、金属板材で一体に曲げ成形し、並びに殻体の前端縁から中に向かって一つの凹部を形成していることを特徴とする請求項１記載の誤り挿入を防止するコネクターセット。
【考案の詳細な説明】
【技術分野】
【０００１】
本考案は、誤り挿入を防止するコネクターセットに関し、特にコネクターセットの中の雄コネクターがまちがった方向で雌コネクターの中に挿入するのを阻害することが可能なコネクターセットに関する。
【背景技術】
【０００２】
従来のデジタル信号伝送に応用されているコネクターセットは、雌コネクター及び雄コネクターを含む。雌コネクターは、外殻体を含み、外殻体の中に端子バス本体を嵌設し、並びに外殻と端子バス本体の後段の間に、置き槽を構成している。雄コネクターは、殻体を含み、殻体の中に端子バス本体を嵌設し、雄コネクターの殻体の前段を、対応的に雌コネクターの置き槽の中に挿入し、雄コネクターの端子バス本体の各端子と、雌コネクターの端子バス本体の各端子を対応的に塔接させて信号伝送を進めている。
【０００３】
上記のコネクターセットを組立連接する時は、雄コネクターは必ず正確の方向に基づいて雌コネクターの中に挿入する。雄コネクターの挿入端はやや一つの矩形になっている。
【考案の開示】
【考案が解決しようとする課題】
【０００４】
しかしその外形は、一般的には、雄コネクターの挿入端の一辺に傾斜角辺を形成し、使用者に雄コネクターの正確なる挿入方向の区別をさせるのに使用する。但し、この小さい傾斜角辺は、類コネクター自体の体積は非常に小さいので、常に使用者はそれを見落とす、或いは見まちがう。これで使用者は、スムースに雄コネクターを雌コネクターの中に挿入することができない。或いは、無理に雄コネクターを雌コネクターの中に挿入したコネクターセットを損壊させる欠点がある。
【０００５】
したがって本考案は上記の欠点を解決するためになされたものであり、その目的は誤り挿入を防止するコネクターセットを提供することにある。
【課題を解決するための手段】
【０００６】
上述の目的を達成するために本考案の請求項に記載の誤り挿入を防止するコネクターセットは、雌コネクター及び雄コネクターを含む。雌コネクターは、外殻体を含み、外殻体の中には端子バス本体を備え、外殻体と端子バス本体の後段の間に置き槽を有する。雄コネクターは殻体を含み、殻体の中には端子バス本体が設けられ、雄コネクターの端子バス本体の各端子と雌コネクターの端子バス本体の各端子を対応的に塔接可能に形成している。上記の雌コネクターの外殻体の後端には突き止め部があって、突き止め部を置き槽の中に突伸する。雄コネクターの殻体の前端は、中に向かって凹部を設け、雌コネクターの突き止め部と対応し、並びに突き止め部を相対的に凹部の中に滑り置き、雄コネクターの前段を最適な位置に雌コネクターの後段の置き槽の中に挿入することで上記の課題を解決する。
【考案を実施するための最良の形態】
【０００７】
以下、本考案の実施例を図面に基づいて説明する。
図１から図６に示すように、本考案の実施例による誤り挿入を防止するコネクターセットは、下記のものを含む。雌コネクター２０は、外殻体２１を含み、外殻体２１の中に端子バス本体２２を設けている。外殻体２１と端子バス本体２２の後段の間に置き槽２３を構成し、且つ端子バス本体２２の後側端縁に、突き止め部２２１を突設し、突き止め部２２１を置き槽２３の中に突伸する。雄コネクター３０は、殻体３１を含み、殻体３１の中に端子バス本体３２を設け、雄コネクター３０の殻体３１の前端を中に向けて凹部３１１を凹設している。雌コネクター２０の突き止め部２２１に対応して、雄コネクター３０の前段を最適な位置に雌コネクター２０の後段の置き槽２３の中に挿入して、雄コネクター３０の端子バス本体３２の各端子３２１と、雌コネクター２０の端子バス本体２２の各端子２２２を対応的に塔接可能である。雌コネクター２０の突き止め部２２１と雄コネクター３０の凹部３１１の対応関係によって、有効に雄コネクター３０が不正確の方向で雌コネクター２０の中に挿入するのを阻害することが可能である。
【０００８】
図３、図４に示すように本実施例による誤り挿入を防止するコネクターセットでは、雌コネクター２０の端子バス本体２２は、プラスチック材料により一体成形を行っていて、端子バス本体２２の後端は、一体で突き止め部２２１を成形したものである。
【０００９】
図１、図４に示す本実施例による誤り挿入を防止するコネクターセットでは、雌コネクター２０の外殻体２１の後段は、一歩進んでプレスで突き部２４を成形して、各突き部２４を置き槽２３の中に突き置いて、挿入した雄コネクター３０の殻体３１の外縁に固く突きあてる。
【００１０】
本実施例が示した雄コネクター３０は、殻体３１は金属板材で一体に曲げ成形を行い、殻体３１の前端縁から中に向かって凹部３１１を形成して、対応的に雌コネクター２０の突き止め部２２１に滑り込む。これによって雄コネクター３０の前端をスムースに雌コネクター２０の置き槽２３の中に挿入させることが可能である。
【００１１】
本実施例による誤り挿入を防止するコネクターセットは、図面で示した形式を自限しない。又、その他形式のコネクターに応用可能であり、本考案も自限しない。
【００１２】
本実施例による誤り挿入を防止するコネクターセットの構造の特徴は、雌コネクター２０の端子バス本体は、突き止め部２２１を突設している。そして、雄コネクター３０の殻体３１の前端は、凹部３１１を凹設している。雄コネクター３０を正確な方向で雌コネクター２０に挿入した時は、雄コネクター３０の凹部３１１は、雌コネクター２０の突き止め部２２１に向かっているので、雄コネクター３０が雌コネクター２０に挿入した過程中は図３に示すように、突き止め部２２１は、相対的に雄コネクター３０の凹部３１１の中に滑り込むことが可能で、雄コネクター３０をスムースに雌コネクター２０に挿入することが可能である。使用者が違った方向で雄コネクター３０を持って雌コネクター２０の中に挿入した時は、雄コネクター３０の凹部３１１は雌コネクター２０の突き止め部２２１に向いていない。したがって、雄コネクター３０が雌コネクター２０に挿入する過程中に、突き止め部２２１に阻害されてスムースに挿入することができない。これによって使用者に挿入する方向が違っていることを知らせる目的を達成させ、使用者は強行に挿入した後にコネクターセットに損壊を生じるのを避けることが可能となり、本考案の新規性と実用性をあらわしている。
【００１３】
本考案の構造、形式を一部変更した後に生じた効果、作用が本明細書と図面を含む範囲である場合はすべて本考案の範囲に属することは当然であることを強調する。
【図面の簡単な説明】
【００１４】
【図１】本考案の実施例による誤り挿入を防止するコネクターセットで雌コネクターと雄コネクターとが分解されている状態を示す図である。
【図２】本考案の実施例による誤り挿入を防止するコネクターセットで雌コネクターと雄コネクターとが分解されている状態を示す平面図である。
【図３】本考案の実施例による誤り挿入を防止するコネクターセットで雌コネクターと雄コネクターとの組立後の状態を示す図で、雌コネクターの外殻体は、局部の断面状態になっている。
【図４】本考案の実施例による誤り挿入を防止するコネクターセットで雌コネクターの後端から見た局部断面図である。
【図５】本考案の実施例による誤り挿入を防止するコネクターセットで雄コネクターの前端から見た平面図である。
【図６】本考案の実施例による誤り挿入を防止するコネクターセットで雌コネクター、雄コネクターの組立後の別の方向から見た図である。
【符号の説明】
【００１５】
２０  雌コネクター、２１  外殻体、２２  端子バス本体、２３  置き槽、２４  突き部、３０  雄コネクター、３１  殻体、３２  端子バス本体、２２１  突き止め部、２２２  端子、３１１  凹部、３２１  端子
【図１】
0003113442.tif 000003
【図２】
0003113442.tif 000004
【図３】
0003113442.tif 000005
【図４】
0003113442.tif 000006
【図５】
0003113442.tif 000007
【図６】
0003113442.tif 000008